(57)【要約】【課題】狭ピッチのコンタクトにも対応可能な、スライド部側をスライドさせる構造を有する一端固定他端支持梁のコンタクトを備えたカードコネクタおよびその製造方法を提供する。【解決手段】このカードコネクタは、ハウジング３１と、幅方向に配列された複数本のコンタクト３２と、摺動板３３とを有する。各コンタクト３２は、ハウジング３１に埋め込まれた固定部３２１から略山形に延びる一端固定他端支持梁であり、その自由端側のスライド部３２３が摺動板３３の上に載っている。この摺動板３３は、コンタクト３２と同じリードフレームで形成されている。そして、この摺動板３３には、ハウジング３１を形成する樹脂へのインサートモールドに先だって、絶縁コーティングが施されている。カードが挿し込まれるとコンタクト３２が押し下げられて変形し、コンタクト３２のスライド部３２３が摺動板３３上をスライドする。【選択図】図２
2018041578.tif 000002
【特許請求の範囲】
【請求項１】
挿入されたカードを受容する受容空間を有するハウジングと、
前記受容空間から外れた高さ位置にある固定部が前記ハウジングに固定されカードが挿抜される挿抜方向に延びつつ前記受容空間内に入り込む向きに斜めに延びて該受容空間に入り込んだ頂部を形成し、該挿抜方向にさらに延びつつ該受容空間から外れる向きに斜めに延びて該受容空間から外れた高さ位置にスライド部を形成し、該受容空間へのカードの挿入により該頂部が押されて該スライド部が該挿抜方向に移動する、該挿抜方向に交わる幅方向に配列された複数本のコンタクトからなるコンタクト群と、
前記コンタクト群を構成する前記複数本のコンタクトに共通に設けられた、カードの挿入により該複数本のコンタクトそれぞれの前記スライド部が摺動する、該スライド部と接する側に絶縁膜を有する金属板からなる摺動板とを備えたことを特徴とするカードコネクタ。
【請求項２】
前記コンタクト群が、挿入の向きの後方に位置し、挿入の向きの後方に前記固定部、挿入の向きの前方に前記スライド部を有する前記複数本のコンタクトからなる第１のコンタクト群と、挿入の向きの前方に位置し、挿入の向きの前方に前記固定部、挿入の向きの後方に前記スライド部を有する前記複数本のコンタクトからなる第２のコンタクト群とを有し、
前記摺動板が、前記第１のコンタクト群と前記第２のコンタクト群とに共通に設けられたものであって、
前記第１のコンタクト群を構成する前記複数本のコンタクトの前記スライド部および前記第２のコンタクト群を構成する前記複数本のコンタクトの前記スライド部が、前記幅方向に相互にずれた位置に配置されていることを特徴とする請求項１の記載のカードコネクタ。
【請求項３】
請求項１または２に記載のカードコネクタの製造方法であって、
金属板の打抜き加工により、前記複数本のコンタクトおよび前記摺動板に相当する部分を形成する第１工程と、
前記第１工程を経た後の金属板の前記摺動板に相当する部分の、前記複数本のコンタクトの前記スライド部が摺動する面に、絶縁コーティングを施す第２工程と、
前記第２工程を経た後の金属板を、前記摺動板に相当する部分が前記複数本のコンタクトの前記スライド部に相当する部分と重なるように折り曲げる第３工程と、
前記第３工程を経た後の金属板を、前記ハウジングを形成する樹脂にインサートモールドする第４工程とを有することを特徴とするカードコネクタの製造方法。
【請求項４】
挿入されたカードを受容する受容空間を有するハウジングと、
前記受容空間から外れた高さ位置にある固定部が前記ハウジングに固定されカードが挿抜される挿抜方向に延びつつ前記受容空間内に入り込む向きに斜めに延びて該受容空間に入り込んだ頂部を形成し、該挿抜方向にさらに延びつつ該受容空間から外れる向きに斜めに延びて該受容空間から外れた高さ位置にスライド部を形成し、該受容空間へのカードの挿入により該頂部が押されて該スライド部が該挿抜方向に移動する、該挿抜方向に交わる幅方向に配列された複数本のコンタクトからなるコンタクト群と、
前記コンタクト群を構成する前記複数本のコンタクトの前記スライド部を該複数本のコンタクトに亘って一体に支持し、カードの挿入により該複数本のコンタクトの前記スライド部の前記挿抜方向への移動ととともに移動する支持体とを備えたことを特徴とするカードコネクタ。
【請求項５】
請求項４に記載のカードコネクタの製造方法であって、
金属板の打抜き加工により、前記複数本のコンタクトに相当する部分を形成する第１工程と、
前記第１工程を経た後の金属板を、前記ハウジングおよび前記支持体を形成する樹脂にインサートモールドする第２工程と、
前記第２工程を経た後に、前記ハウジングと前記支持体とを分離する第３工程とを有することを特徴とするカードコネクタの製造方法。
【発明の詳細な説明】
【技術分野】
【０００１】
本発明は、挿し込まれたカードを受容する受容空間が形成され、その受容空間に受容したカードにアクセスするカードコネクタに関する。
【背景技術】
【０００２】
受容空間にメモリカード等のカードが挿し込まれ、その挿し込まれたカードにアクセスするカードコネクタが従来より知られている。カードコネクタの受容空間にカードが挿し込まれると、そのカードによりコンタクトが押されて弾性変形する。この弾性変形を円滑に行わせるための１つの工夫として、一端固定他端支持梁のコンタクトと、そのコンタクトのスライド部を支えて摺動させる摺動板とを備えた構造が採用されている。この構造を採用すると、挿し込まれてきたカードに押されたコンタクトの変形が円滑となり、高い信頼性が確保される。
【０００３】
特許文献１には、金属板の打抜き加工や折り曲げ加工で形成されるリードフレームの、コンタクトを形成する部分以外の部分を使って、コンタクトのスライド部を支えて摺動させる摺動板を形成したカードコネクタが開示されている。
【先行技術文献】
【特許文献】
【０００４】
【特許文献１】実用新案登録第３１８８５６０号公報
【発明の概要】
【発明が解決しようとする課題】
【０００５】
カードコネクタの製造にあたっては、金属板の打抜き加工や折り曲げ加工によりリードフレームを形成する。そして、そのリードフレームを、ハウジングとなる樹脂にインサートモールドする。このインサートモールドの段階では複数のコンタクト等がバラバラにならないように、部分的に相互に接続された形状のリードフレームを形成する。そして、インサートモールドの後、その部分的に接続された部分が切断される。このため、コンタクトを形成する金属板を使ってコンタクトとともに上記の摺動板を形成しようとすると、その摺動板も、インサートモールドまでは、部分的に接続されている必要がある。
【０００６】
近年、カードコネクタが益々小型化されてきている。そして、それに伴って、コンタクトも益々狭ピッチ化されてきている。この狭ピッチのコンタクトに対応する狭ピッチの摺動板を設けようとすると、それらの摺動板が繋がったままのリードフレームを形成しておいてインサートモールドの後で個々の摺動板に切断するという工程を採用するのが困難である。
【０００７】
本発明は、上記事情に鑑み、狭ピッチのコンタクトにも対応可能な、スライド部側をスライドさせる構造を有する一端固定他端支持梁のコンタクトを備えたカードコネクタおよびその製造方法を提供することを目的とする。
【課題を解決するための手段】
【０００８】
上記目的を達成する本発明の第１のカードコネクタは、
挿入されたカードを受容する受容空間を有するハウジングと、
受容空間から外れた高さ位置にある固定部がハウジングに固定されカードが挿抜される挿抜方向に延びつつ受容空間内に入り込む向きに斜めに延びて受容空間に入り込んだ頂部を形成し、挿抜方向にさらに延びつつ該容空間から外れる向きに斜めに延びて受容空間から外れた高さ位置にスライド部を形成し、受容空間へのカードの挿入により頂部が押されてスライド部が挿抜方向に移動する、挿抜方向に交わる幅方向に配列された複数本のコンタクトからなるコンタクト群と、
上記コンタクト群を構成する複数本のコンタクトに共通に設けられた、カードの挿入により複数本のコンタクトそれぞれのスライド部が摺動する、それらのスライド部と接する側に絶縁膜を有する金属板からなる摺動板とを備えたことを特徴とする。
【０００９】
本発明の第１のカードコネクタの場合、幅方向に配列された複数本のコンタクトに共通の摺動板を設けている。この摺動板には絶縁膜が被膜されているため、コンタクト間の導通が防止される。したがって、インサートモールドした後でこの摺動板をコンタクトごとに切断する必要はない。このように、本発明の第１のカードコネクタによれば、コンタクトとともに摺動板を形成したリードフレームを採用することができ、狭ピッチのコンタクトにも対応可能である。
【００１０】
ここで、本発明の第１のカードコネクタにおいて、
上記コンタクト群が、挿入の向きの後方に位置し、挿入の向きの後方に固定部、挿入の向きの前方にスライド部を有する複数本のコンタクトからなる第１のコンタクト群と、挿入の向きの前方に位置し、挿入の向きの前方に固定部、挿入の向きの後方にスライド部を有する複数本のコンタクトからなる第２のコンタクト群とを有し、
上記摺動板が、第１のコンタクト群と第２のコンタクト群とに共通に設けられたものであって、
第１のコンタクト群を構成する複数本のコンタクトのスライド部および第２のコンタクト群を構成する複数本のコンタクトのスライド部が、幅方向に相互にずれた位置に配置されていることが好ましい。
【００１１】
この構成を採用すると、第１のコンタクト群と第２のコンタクト群とに共通の摺動板を採用し上記スライド部どうしが幅方向にずれた位置に配置されているため、コンタクト群ごとに摺動板を備える構成と比べ、小型化に寄与する。
【００１２】
また、上記目的を達成する本発明のカードコネクタの第１の製造方法は、上記の第１のカードコネクタの製造方法であって、
金属板の打抜き加工により、上記複数本のコンタクトおよび上記摺動板に相当する部分を形成する第１工程と、
第１工程を経た後の金属板の摺動板に相当する部分の、複数本のコンタクトの上記スライド部が摺動する面に、絶縁コーティングを施す第２工程と、
第２工程を経た後の金属板を、摺動板に相当する部分が複数本のコンタクトの上記スライド部に相当する部分と重なるように折り曲げる第３工程と、
第３工程を経た後の金属板を、ハウジングを形成する樹脂にインサートモールドする第４工程とを有することを特徴とする。
【００１３】
本発明の第１のカードコネクタを製造するにあたっては、この第１の製造方法を採用することができる。
【００１４】
また、上記目的を達成する本発明の第２のカードコネクタは、
挿入されたカードを受容する受容空間を有するハウジングと、
受容空間から外れた高さ位置にある固定部がハウジングに固定されカードが挿抜される挿抜方向に延びつつ受容空間内に入り込む向きに斜めに延びて受容空間に入り込んだ頂部を形成し、挿抜方向にさらに延びつつ受容空間から外れる向きに斜めに延びて受容空間から外れた高さ位置にスライド部を形成し、受容空間へのカードの挿入により頂部が押されてスライド部が挿抜方向に移動する、挿抜方向に交わる幅方向に配列された複数本のコンタクトからなるコンタクト群と、
上記コンタクト群を構成する複数本のコンタクトの上記スライド部を複数本のコンタクトに亘って一体に支持し、カードの挿入により複数本のコンタクトの上記スライド部の挿抜方向への移動ととともに移動する支持体とを備えたことを特徴とする。
【００１５】
カードコネクタの場合、幅方向に配列された複数本のコンタクトは、カードが挿し込まれると一斉に変形する。したがって、これらのコンタクトは、バラバラに変形可能である必要はない。本発明の第２のカードコネクタは、この点に着目し、幅方向に配列された複数本のコンタクトのスライド部を一体に支持し、それらのスライド部とともに移動する支持体を備えたものである。この第２のカードコネクタの場合、リードフレームに摺動板を設ける必要はない。インサートモールドの後で、ハウジングから支持体が切り離される。この第２のカードコネクタの場合も、上記の第１のカードコネクタの場合と同様、狭ピッチのコンタクトであっても対応可能である。
【００１６】
さらに、上記目的を達成する本発明のカードコネクタの第２の製造方法は、上記の第２のカードコネクタの製造方法であって、
金属板の打抜き加工により、上記複数本のコンタクトに相当する部分を形成する第１工程と、
第１工程を経た後の金属板を、ハウジングおよび上記支持体を形成する樹脂にインサートモールドする第２工程と、
第２工程を経た後に、ハウジングと支持体とを分離する第３工程とを有することを特徴とする。
【００１７】
本発明の第２のカードコネクタを製造するにあたっては、この第２の製造方法を採用することができる。
【発明の効果】
【００１８】
上記の本発明によれば、狭ピッチのコンタクトにも対応可能な自由端側のスライド部をスライドさせる一端固定他端支持梁のコンタクトを備えた構造のカードコネクタが実現する。
【図面の簡単な説明】
【００１９】
【図１】本発明の第１実施形態としての第１のカードコネクタの外観斜視図である。
【図２】図１に外観を示す第１のカードコネクタのコネクタ本体から金属シェルを取り外して、ハウジングの内側を示した斜視図（Ａ）と平面図（Ｂ）である。
【図３】図１，図２に示す第１のカードコネクタの製造方法の説明図である。
【図４】第２のカードコネクタのハウジングの内側を示した斜視図（Ａ）と平面図（Ｂ）である。
【図５】第２のカードコネクタの、完成前のコネクタ本体の斜視図（Ａ）と平面図（Ｂ）である。
【発明を実施するための形態】
【００２０】
以下、本発明の実施の形態について説明する。
【００２１】
図１は、本発明の第１実施形態としての第１のカードコネクタの外観斜視図である。
【００２２】
この第１のカードコネクタ１０は、カード５０を載せたカードトレイ２０がコネクタ本体３０に挿し込まれるタイプのカードコネクタである。
【００２３】
カード５０の、この図１にはあらわれていない下面には、コネクタ本体３０の一端固定他端支持梁のコンタクト３２（図２参照）に接して電気的に導通するパッドが形成されている。カードトレイ２０は、そのカード５０の下面を露出させる開口（不図示）を有し、カード５０の縁のみを支えている。
【００２４】
コネクタ本体３０は、ハウジング３１と、そのハウジング３１の上部を覆う金属シェル３９とを備えている。ハウジング３１と金属シェル３９との間には、カードトレイ２０が挿し込まれる挿込口３１２が形成されている。そして、このハウジング３１には、その挿込口３１２の奥の、金属シェル３９に覆われた部分に、カード５０を載せたカードトレイ２０を受容する受容空間３１１が形成されている。カードトレイ２０は、カード５０を載せた状態で、その挿込口３１２から、矢印Ｆで示す挿入の向きに挿し込まれて、受容空間３１１に受容される。
【００２５】
図２は、図１に外観を示す第１のカードコネクタのコネクタ本体から金属シェルを取り外して、ハウジングの内側を示した斜視図（Ａ）と平面図（Ｂ）である。
【００２６】
このコネクタ本体３０には、ハウジング３１のほか、そのハウジング３１に支持された複数本のコンタクト３２が備えられている。これらのコンタクト３２は、第１のコンタクト群３２Ａと第２のコンタクト群３２Ｂとに分かれている。第１のコンタクト群３２Ａは、カードトレイ２０の挿込みの向き（矢印Ｆの向き）の後方において幅方向に配列された複数本のコンタクト３２で構成されている。第１のコンタクト群３２Ａを構成する各コンタクト３２は、挿込みの向き（矢印Ｆの向き）の後方に、ハウジング２０に埋め込まれた固定部３２１を有する。この固定部３２１は、受容空間３１１からは下方に外れた高さ位置にある。そして、この第１のコンタクト群３２Ａを構成する各コンタクト３２は、その固定部３２１から挿込みの向き（矢印Ｆの向き）に延びつつ上方の向きに斜めに延びて、受容空間３１１に入り込んだ頂部３２２を形成している。そして、この第１のコンタクト群３２Ａを構成する各コンタクト３２は、その頂部３２２からさらに挿込みの向き（矢印Ｆの向き）に延びつつ、今度は下向きに斜めに延び、受容空間３１１から下に外れた位置に自由端としてのスライド部３２３を形成している。この第１のコンタクト群３２Ａを構成する各コンタクト３２のスライド部３２３は、それらのコンタクト３２に共通の摺動板３３の上に載っている。この摺動板３３は、金属板の表面に絶縁コーティングが施された板である。カード５０を載せたカードトレイ２０が受容空間３１１に挿入されてくると、そのカード５０によりコンタクト３２の頂部３２２が押し下げられる。すると、第１のコンタクト群３２Ａを構成している各コンタクト３２のスライド部３２３は、摺動板３３の上を摺動するようにして挿込みの向き（矢印Ｆの向き）にスライドする。
【００２７】
一方、第２のコンタクト群３２Ｂは、第１のコンタクト群３２Ａを構成するコンタクト３２よりも挿込みの向き（矢印Ｆの向き）の前方において幅方向に配列された、複数本のコンタクト３２で構成されている。この第２のコンタクト群３２Ｂを構成するコンタクト３２は、第１のコンタクト群３２Ａを構成するコンタクト３２とは逆向きに延びている。すなわち、第２のコンタクト群３２Ｂを構成するコンタクト３２は、挿込みの向き（矢印Ｆの向き）に前方に、ハウジング３１に埋め込まれた固定部３２１を形成している。この固定部３２１は、受容空間３１１よりも下方に外れた位置にある。そして、この第２のコンタクト群３２Ｂを構成する各コンタクト３２は、その固定部３２１から、受容空間３１１に受容されているカードトレイ２０をその受容空間３１１から取り出す取出しの向き（矢印Ｒの向き）に延びている。この第２のコンタクト群３２Ｂを構成する各コンタクト３２は、その固定部３２１から、取出しの向き（矢印Ｒの向き）に延びつつ上方斜めに延びて受容空間３１１に入り込み、頂部３２２を形成している。この第２のコンタクト群３２Ｂを構成する各コンタクト３２は、その頂部３２２からさらに取出しの向き（矢印Ｒの向き）に延びつつ、今度は下方斜めに延びている。そして、それらのコンタクト３２は、下方斜めに延びて受容空間３１１から下方に外れ、その下方に外れた位置にスライド部３２３を形成している。カード５０を載せたカードトレイ２０が受容空間３１１内に挿し込まれると、そのカード５０によりコンタクト３２の頂部３２２が押し下げられる。そして、第２のコンタクト群３２Ｂを構成しているコンタクト３２の場合は、コンタクト３２の頂部３２２が押し下げられたことによって、スライド部３２３が、取出しの向き（矢印Ｒの向き）にスライドする。この第２のコンタクト群３２Ｂを構成するコンタクト３２のスライド部３２３も、第１のコンタクト群３２Ａを構成するコンタクト３２のスライド部３２３と同じ摺動板３３の上に載っている。そして、第２のコンタクト群３２Ｂのコンタクト３２のスライド部３２３は、その摺動板３３の上を、第１のコンタクト群３２Ａを構成するコンタクト３２のスライド部３２３とは逆向きに摺動する。
【００２８】
これら第１のコンタクト群３２Ａを構成するコンタクト３２のスライド部３２３と第２のコンタクト群３２Ｂを構成するコンタクト３２のスライド部３２３は、幅方向に互いにずれた位置に配置され、互いの間のクリアランスを確保している。
【００２９】
カードトレイ２０の両側には、ロック用の窪み部２１が形成されている。一方、コネクタ本体３０には、カードトレイ２０が受容空間３１１に受容されたときの窪み部２１に対応する左右両側に、ロック部３４が備えられている。これらのロック部３４は、弾性アーム３５に支持されている。カードトレイ２０が受容空間３１１に受容されると、左右のロック部３４がカードトレイ２０の左右の窪み部２１に入り込む。すると、カードトレイ２０は受容空間３１１から安易には抜け出ないようにロックされる。
【００３０】
また、コネクタ本体３０には、先端部３６１が突き出たスライドアーム３６が備えられている。このスライドアーム３６は、挿抜方向（矢印Ｆ−Ｒの方向）にスライド自在にハウジング３１に支持されている。このコネクタ本体３０にはさらに、回動軸３７１を中心に回動するイジェクトレバー３７が備えられている。受容空間３１１内に受容された状態にあるカードトレイ２０を受容空間３１１から取り出すにあたっては、スライドアーム３６の先端部３６１を不図示のイジェクトピン等の治具で押して、スライドアーム３６を挿込みの向き（矢印Ｆの向き）に押し込む。すると、イジェクトレバー３７の一端部３７２がそのスライドアーム２６の後端部３６２で押されてイジェクトレバー３７が反時計回りに回動する。イジェクトレバー３７が回動すると、そのイジェクトレバー３７の他端部３７３がカードトレイ２０を取出しの向き（矢印Ｒの向き）に押す。すると、カードトレイ２０のロックが外れて、カードトレイ２０が取出しの向き（矢印Ｒの向き）に少し押し出される。その後は、指の爪や治具等を用いて、カードトレイ２０がコネクタ本体３０から抜き取られる。
【００３１】
図３は、図１，図２に示す第１のカードコネクタの製造方法の説明図である。ここでは、本実施形態の特徴部分である摺動板３３の製造方法を中心に説明する。
【００３２】
この図３には、コンタクトや摺動板として完成する前の段階の、コンタクトや摺動板に対応する部分を有するリードフレーム４１，４２が示されている。ただし、ここでは、説明の都合上、対応する部分に完成後と同じ符号を付し、完成後の名称と同じ名称で説明する。
【００３３】
図３（Ａ）は、金属板の打抜き加工および折曲げ加工により形成された第１段階のリードフレーム４１の斜視図である。この第１段階のリードフレーム４１では、摺動板３３は、完成時の位置、すなわち、コンタクト３２のスライド部３２３と重なった位置からは離れた位置に形成されている。
【００３４】
この第１段階のリードフレーム４１を形成した段階で、その摺動板３３に絶縁コーティングを施す。この絶縁コーティングは、摺動板３３表裏両面に施してもよいが、少なくとも、この図３（Ａ）にあらわれている面に対する裏面に施す。この絶縁コーティングは、金属酸化物の膜であってもよいし、テフロン（登録商標）等の樹脂の膜であってもよい。
【００３５】
また、図３（Ｂ）は、第２段階のリードフレーム４１の斜視図である。
【００３６】
摺動板３３に絶縁コーティングを施した後、図３（Ｂ）に示すように、コンタクト３２のスライド部３２３がその摺動板３３の上に載るように、その摺動板３３を支えているアーム３３１をその途中で折り返す。
【００３７】
その後、この図３（Ｂ）に示す第２段階のリードフレーム４２を、ハウジング３１を形成する樹脂にインサートモールドする。
【００３８】
さらにその後、リードフレーム４２のコンタクト３２どうしの接続部を切断するなどの工程を経て、コネクタ本体３０として完成させる。
【００３９】
この第１のカードコネクタ１０の場合、摺動板３３は、幅方向に配列された複数本のコンタクト３２に共用されている。このため、狭ピッチのコンタクト３２であっても特に問題なく、この摺動板３３を形成することができる。また、この摺動板３３には、絶縁コーティングが施されているため、コンタクト３２どうしの短絡は防止される。
【００４０】
次に、本発明の第２実施形態としての第２のカードコネクタについて説明する。この第２のカードコネクタの説明にあたり、上述の第１のカードコネクタ１０の構成要素と同一の構成要素には、同じ符号を付して示すとともに説明を省略し、相違点について説明する。
【００４１】
この第２のカードコネクタの外観は、第１のカードコネクタ１０と同一であり、図１を援用することとし、説明は省略する。
【００４２】
図４は、第２のカードコネクタのハウジングの内側を示した斜視図（Ａ）と平面図（Ｂ）である。
【００４３】
この第２のカードコネクタには、第１のカードコネクタ１０に備えられている摺動板３３は備えられておらず、それに代わり、支持体３８が備えられている。この支持体３８は、幅方向に配列された１列分のコンタクト３２からなるコンタクト群に対し１つ備えられている。この図４には、２つのコンタクト群３２Ａ，３２Ｂ、すなわち、幅方向に２列配列されたコンタクト３２が示されている。したがって、支持体３８も２つ備えられている。各支持体３８はハウジング３１と同じ樹脂で形成されている。そして、各支持体３８には、各コンタクト群を構成する各１列分のコンタクト３２のスライド部３２３が埋め込まれていて、各支持体３８は、各１列分のコンタクト３２のスライド部３２３を一体に支持している。また、各支持体３８は、ハウジング３１に対し挿抜方向（矢印Ｆ−Ｒ方向）に移動自在となっている。したがって、カード５０を載せたカードトレイ２０が受容空間３１１に挿し込まれてくると、コンタクト３２の頂部３２２が下に押されて、そのスライド部３２３が、支持体３８とともに、挿抜方向（矢印Ｆ−Ｒ方向）にスライドする。
【００４４】
図５は、第２のカードコネクタの、完成前のコネクタ本体の斜視図（Ａ）と平面図（Ｂ）である。
【００４５】
ここには、ハウジング３１と繋がった状態にある支持体３８が示されている。
【００４６】
この第２のカードコネクタのリードフレームは、図３（Ａ）に示すリードフレーム４１から摺動板３３とその摺動板３３を支えているアーム３３１を取り除いた形状を有する。そして、そのリードフレームを樹脂にインサートモールドすることにより、ハウジング３１とそのハウジング３１に繋がった状態の支持体３８を形成する。そして、その後、ハウジング３１と支持体３８を繋いでる接続部３８１を切断する。これにより、支持体３８は、コンタクト３２のスライド部３２３を支持したまま、ハウジング３１に対し移動自在となる。
【００４７】
この第２のカードコネクタの場合も、前述の第１のカードコネクタ１０と同様、狭ピッチのコンタクト３２にも対応可能である。
【００４８】
なお、ここでは、カードをカードトレイに載せて、そのカードトレイをコネクタ本体に差し込むタイプのカードコネクタについて説明した。ただし、本発明のカードコネクタはカードトレイは使わずに、カードを直接に差し込むタイプのカードコネクタについても適用することができる。
【符号の説明】
【００４９】
１０    カードコネクタ
２０    カードトレイ
２１    窪み部
３０    コネクタ本体
３１    ハウジング
３１１  受容空間
３１２  挿込口
３２    コンタクト
３２１  固定部
３２２  頂部
３２３  スライド部
３３    摺動板
３３１  アーム
３４    ロック部
３５    弾性アーム
３６    スライドアーム
３６１  スライドアームの先端部
３６２  スライドアームの後端部
３７    イジェクトレバー
３７１  回動軸
３７２  イジェクトレバーの一端部
３７３  イジェクトレバーの他端部
３８    支持体
３８１  接続部
３９    金属シェル
４１，４２  リードフレーム
【図１】
2018041578.tif 000003
【図２】
2018041578.tif 000004
【図３】
2018041578.tif 000005
【図４】
2018041578.tif 000006
【図５】
2018041578.tif 000007